(57)【要約】【課題】  耳垢が容易に耳垢ガードなどに付着し難い耳垢侵入防止構造を備えた補聴器を提供する。【解決手段】  耳あな形補聴器１を構成するシェル部材２に環状の溝部３を形成している。溝部３は、シェル部材２に設けた凹部２ａと、この凹部２ａの中央に音口として開けられた開口２ｂに嵌合する筒部材（イヤホンチューブ）４により形成されている。【選択図】        図１
2005217475.tif 000002
【特許請求の範囲】
【請求項１】
補聴器の音口の周囲に環状の溝部を形成したことを特徴とする耳垢侵入防止構造を備えた補聴器。
【請求項２】
前記溝部が、シェル部材に形成した凹部と、この凹部に設けた開口に嵌合する筒部材により形成された請求項１記載の耳垢侵入防止構造を備えた補聴器。
【請求項３】
前記溝部が、シェル部材と一体に形成された請求項１記載の耳垢侵入防止構造を備えた補聴器。
【請求項４】
前記音口に耳垢ガードを着脱自在に取り付けた請求項１、２又は３記載の耳垢侵入防止構造を備えた補聴器。
【請求項５】
補聴器の音口に着脱自在に取り付ける耳垢ガードに環状の溝部を形成したことを特徴とする耳垢侵入防止構造を備えた補聴器。
【発明の詳細な説明】
【技術分野】
【０００１】
本発明は、外耳道の壁部に付着した耳垢が補聴器の音の出口（音口）に侵入するのを防止する耳垢侵入防止構造を備えた補聴器に関する。
【背景技術】
【０００２】
耳あな形補聴器では、補聴器が外耳道に挿入される時に、その先端が掻き取った外耳道の壁部に付着していた耳垢が、音口から補聴器内部に侵入しないように音口にフィルタの役割を果たす多数の細かな孔を開けた交換可能な耳垢防止チップ（耳垢ガード）を取り付けている（例えば、特許文献１参照）。
【０００３】
また、音口が形成されるシェル部材の部位を凹ませて凹部を形成し、その凹部の底面に配設された音口に耳垢ガードを取り付けることにより、耳垢が耳垢ガードに直接付着しないようにすることも知られている。
【０００４】
【特許文献１】特開平７−１３１８９８号公報
【発明の開示】
【発明が解決しようとする課題】
【０００５】
しかし、特許文献１に記載のように、音口に耳垢ガードを取り付けたとしても、耳垢ガードに耳垢が付着するのを防止することはできず、耳垢の量が多い場合には頻繁に耳垢ガードを交換しなければならない。
また、耳垢ガードを取り付ける部分を凹ませても、凹部を設けたことによって耳垢が耳垢ガードに達するまでの耳垢の付着量が多くなるだけで、耳垢ガードの交換間隔が長くなるものの、耳垢ガードに耳垢が付着するのを防止するという課題の根本的な解決にはならない。
【０００６】
本発明は、従来の技術が有するこのような問題点に鑑みてなされたものであり、その目的とするところは、耳垢が容易に耳垢ガードなどに付着し難い耳垢侵入防止構造を備えた補聴器を提供しようとするものである。
【課題を解決するための手段】
【０００７】
上記課題を解決すべく請求項１に係る発明は、補聴器の音口の周囲に環状の溝部を形成したものである。
【０００８】
請求項２に係る発明は、請求項１記載の耳垢侵入防止構造を備えた補聴器において、前記溝部が、シェル部材に形成した凹部と、この凹部に設けた開口に嵌合する筒部材により形成された。
【０００９】
請求項３に係る発明は、請求項１記載の耳垢侵入防止構造を備えた補聴器において、前記溝部が、シェル部材と一体に形成された。
【００１０】
請求項４に係る発明は、請求項１、２又は３記載の耳垢侵入防止構造を備えた補聴器において、前記音口に耳垢ガードを着脱自在に取り付けた。
【００１１】
請求項５に係る発明は、補聴器の音口に着脱自在に取り付ける耳垢ガードに環状の溝部を形成したものである。
【発明の効果】
【００１２】
以上説明したように請求項１に係る発明によれば、補聴器が外耳道に挿入される時に、その先端が掻きとった外耳道の壁部に付着していた耳垢が、補聴器の音口の周囲に形成した環状の溝部に貯まるので、耳垢が音口を塞ぐ可能性が低くなる。
【００１３】
請求項２に係る発明によれば、シェル部材に形成した凹部の開口に筒部材を嵌合するだけで、容易に補聴器の音口の周囲に溝部を設けることができる。
【００１４】
請求項３に係る発明によれば、溝部がシェル部材と一体に形成されるので、部品点数の削減に寄与できる。
【００１５】
請求項４に係る発明によれば、音口に耳垢ガードを着脱自在に取り付けるので、メンテナンスが容易になる。
【００１６】
請求項５に係る発明によれば、シェル部材が小形でシェル部材に溝部を形成することができない場合でも、耳垢ガードに形成した環状の溝部に耳垢が貯まるので、耳垢が音口を塞ぐ可能性が低くなる。
【発明を実施するための最良の形態】
【００１７】
以下に本発明の実施の形態を添付図面に基づいて説明する。ここで、図１は本発明に係る耳垢侵入防止構造を備えた補聴器の第１実施の形態の一部断面斜視図及び断面図、図２は同じく第２実施の形態の一部断面斜視図及び断面図、図３は同じく第３実施の形態の一部断面斜視図及び断面図、図４は同じく第４実施の形態の一部断面斜視図及び断面図である。なお、図１〜図４は補聴器の一部を表している。
【００１８】
本発明に係る耳垢侵入防止構造を備えた補聴器の第１実施の形態は、図１に示すように、耳あな形補聴器１を構成するシェル部材２に環状の溝部３を形成している。溝部３は、シェル部材２に設けた凹部２ａと、この凹部２ａの中央に音口として開けられた開口２ｂに嵌合する筒部材（イヤホンチューブ）４により形成されている。
【００１９】
筒部材４の一端４ａは開放され、他端４ｂはイヤホン５の音口５ａに接続されている。そして、シェル部材２の先端部２ｃは、筒部材４の一端４ａよりも突出して形成されている。
【００２０】
以上のように構成された第１実施の形態の作用について説明する。装用者が耳あな形補聴器１を外耳道に挿入する際、シェル部材２の先端部２ｃが外耳道の壁部に付着した耳垢を掻き取ることがある。掻き取られた耳垢の多くは、先端部２ｃの内側に形成された溝部３に入ることになる。そして、溝部３が耳垢で一杯になるまでは、耳垢が筒部材４の壁部を乗り越えて筒部材４の内部に入る可能性は低い。
【００２１】
また、筒部材４の一端４ａはシェル部材２の先端部２ｃよりも突出していないため、一端４ａが外耳道の壁部に付着した耳垢を掻き取る可能性は低い。従って、筒部材４の一端４ａが直接耳垢を掻き取って筒部材４の内部に入れることはない。
【００２２】
本発明に係る耳垢侵入防止構造を備えた補聴器の第２実施の形態は、図２に示すように、耳あな形補聴器１１を構成するシェル部材１２に環状の溝部１３を形成している。溝部１３は、シェル部材１２に設けた凹部１２ａと、この凹部１２ａの中央に音口として開けられた大径孔１２ｂに嵌合する筒部材１４により形成されている。
【００２３】
筒部材１４の一端１４ａは耳垢ガード１５を装着し、他端１４ｂは大径孔１２ｂと小径孔１２ｃで形成された段部１２ｄに当接している。更に、一端１６ａを小径孔１２ｃに嵌合した筒状の連結部材（イヤホンチューブ）１６の他端１６ｂがイヤホン１７の音口１７ａに接続されている。そして、シェル部材１２の先端部１２ｄは、筒部材１４に装着した耳垢ガード１５の先端１５ａよりも突出して形成されている。
【００２４】
耳垢ガード１５は、有底で筒状に形成され、底部には音を通して耳垢を通さないための複数の音口１５ｂが開けられ、音口１５ｂの上方に耳垢を貯める空間を有している。また、耳垢ガード１５は、筒部材１４の一端１４ａに所定の装着力を持って着脱自在に取り付けられるため、交換可能である。
【００２５】
以上のように構成された第２実施の形態の作用について説明する。装用者が耳あな形補聴器１１を外耳道に挿入する際、シェル部材１２の先端部１２ｄが外耳道の壁部に付着した耳垢を掻き取ることがある。掻き取られた耳垢の多くは、先端部１２ｄの内側に形成された溝部１３に入ることになる。そして、溝部１３が耳垢で一杯になるまでは、耳垢が筒部材１４の壁部を乗り越えて耳垢ガード１５の内部に入る可能性は低い。
【００２６】
また、耳垢ガード１５の先端１５ａはシェル部材１２の先端部１２ｄよりも突出していないため、先端１５ａが外耳道の壁部に付着した耳垢を掻き取る可能性は低い。従って、耳垢ガード１５の先端１５ａが直接耳垢を掻き取って耳垢ガード１５の内部に入れることはない。仮に、長時間の使用で耳垢が耳垢ガード１５の音口１５ｂを塞ぐことになっても、耳垢ガード１５は着脱自在なので、耳垢ガード１５を取り外して清掃してもよいし、また新たなものと交換してもよい。
【００２７】
本発明に係る耳垢侵入防止構造を備えた補聴器の第３実施の形態は、図３に示すように、耳あな形補聴器２１を構成するシェル部材２２に環状の溝部２３を形成している。溝部２３は、シェル部材２２の端部に音口として開けられた開口部２４を囲むようにシェル部材２２と一体に形成されている。
【００２８】
開口部２４の一端２４ａは耳垢ガード２５を装着し、他端２４ｂは筒状の連結部材（イヤホンチューブ）２６を介してイヤホン２７の音口２７ａに接続されている。そして、シェル部材２２の先端部２２ａは、開口部２４の一端２４ａに装着した耳垢ガード２５の先端２５ａよりも突出して形成されている。
【００２９】
耳垢ガード２５は、有底で筒状に形成され、底部には音を通して耳垢を通さないための複数の音口２５ｂが開けられ、音口２５ｂの上方に耳垢を貯める空間を有している。また、耳垢ガード２５は、開口部２４の一端２４ａに所定の装着力を持って着脱自在に取り付けられるため、交換可能である。
【００３０】
以上のように構成された第３実施の形態の作用について説明する。装用者が耳あな形補聴器２１を外耳道に挿入する際、シェル部材２２の先端部２２ａが外耳道の壁部に付着した耳垢を掻き取ることがある。掻き取られた耳垢の多くは、先端部２２ａの内側に形成された溝部２３に入ることになる。そして、溝部２３が耳垢で一杯になるまでは、耳垢が溝部２３の壁部を乗り越えて耳垢ガード２５の内部に入る可能性は低い。
【００３１】
また、耳垢ガード２５の先端２５ａはシェル部材２２の先端部２２ａよりも突出していないため、先端２５ａが外耳道の壁部に付着した耳垢を掻き取る可能性は低い。従って、耳垢ガード２５の先端２５ａが直接耳垢を掻き取って耳垢ガード２５の内部に入れることはない。仮に、長時間の使用で耳垢が耳垢ガード２５の音口２５ｂを塞ぐことになっても、耳垢ガード２５は着脱自在なので、耳垢ガード２５を取り外して清掃してもよいし、また新たなものと交換してもよい。
【００３２】
本発明に係る耳垢侵入防止構造を備えた補聴器の第４実施の形態は、図４に示すように、耳あな形補聴器３１を構成するシェル部材３２の端部に音口としての開口部３３を開け、その開口部３３に耳垢ガード３４を装着している。
【００３３】
開口部３３は、大径孔３３ａと小径孔３３ｂからなり、大径孔３３ａに筒部材３５を介して前記した耳垢ガード３４が装着され、小径孔３３ｂに筒状の連結部材（イヤホンチューブ）３６を介してイヤホン３７の音口３７ａが接続されている。
【００３４】
耳垢ガード３４は、有底で筒状に形成され、底部の中央に筒体３８が設けられ、筒体３８の外側に筒体３８を囲むように環状の溝部３９が形成されている。溝部３９の底には、音を通して耳垢を通さないための複数の音口３９ａが開けられている。また、筒体３８も音口３９ａとしての役割を果たす。
【００３５】
また、耳垢ガード３４は、大径孔３３ａに嵌合した筒部材３５に所定の装着力を持って着脱自在に取り付けられるため、交換可能である。そして、耳垢ガード３４の外縁部３４ａは、筒体３８の先端３８ａよりも突出して形成されている。
【００３６】
このように、シェル部材３２が小形でシェル部材３２に溝部を形成することができない場合でも、耳垢ガード３４に溝部３９を設けることにより、溝部３９に耳垢が貯まるので、耳垢が耳垢ガード３４の音口３９ａを塞ぐ可能性を低くすることができる。
【００３７】
以上のように構成された第４実施の形態の作用について説明する。装用者が耳あな形補聴器３１を外耳道に挿入する際、シェル部材３２の先端部３２ａが外耳道の壁部に付着した耳垢を掻き取ることがある。掻き取られた耳垢の多くは、耳垢ガード３４に形成された溝部３９に入ることになる。そして、溝部３９が耳垢で一杯になるまでは、耳垢が筒体３８の壁部を乗り越えて筒体３８の内部に入る可能性は低い。
【００３８】
また、筒体３８の先端３８ａは耳垢ガード３４の外縁部３４ａよりも突出していないため、先端３８ａが外耳道の壁部に付着した耳垢を掻き取る可能性は低い。従って、筒体３８の先端３８ａが直接耳垢を掻き取って筒体３８の内部に入れることはない。仮に、長時間の使用で耳垢が耳垢ガード３４の音口３９ａを塞ぐことになっても、耳垢ガード３４は着脱自在なので、耳垢ガード３４を取り外して清掃してもよいし、また新たなものと交換してもよい。
【産業上の利用可能性】
【００３９】
本発明によれば、補聴器が外耳道に挿入される時に、その先端が掻きとった外耳道の壁部に付着していた耳垢が、補聴器の音口の周囲に形成した環状の溝部に貯まるので、耳垢が音口を塞ぐ可能性が低くなって、補聴器の使い勝手がよくなり、補聴器の普及が図られる。
【図面の簡単な説明】
【００４０】
【図１】本発明に係る耳垢侵入防止構造を備えた補聴器の第１実施の形態の一部断面斜視図（ａ）及び断面図（ｂ）
【図２】本発明に係る耳垢侵入防止構造を備えた補聴器の第２実施の形態の一部断面斜視図（ａ）及び断面図（ｂ）
【図３】本発明に係る耳垢侵入防止構造を備えた補聴器の第３実施の形態の一部断面斜視図（ａ）及び断面図（ｂ）
【図４】本発明に係る耳垢侵入防止構造を備えた補聴器の第４実施の形態の一部断面斜視図（ａ）及び断面図（ｂ）
【符号の説明】
【００４１】
１，１１，２１，３１…耳あな形補聴器、２，１２，２２，３２…シェル部材、２ａ，１２ａ…凹部、３，１３，２３，３９…溝部、４，１４…筒部材、１５，２５，３４…耳垢ガード。
【図１】
2005217475.tif 000003
【図２】
2005217475.tif 000004
【図３】
2005217475.tif 000005
【図４】
2005217475.tif 000006